(57)【要約】【課題】コンテンツの記録処理の際に、記録先の記録媒体の種別情報を同時に記録媒体に記録し、再生装置にてこれを検出することで違法コピーを検出する情報記録再生方法と情報記録再生装置及び情報記録媒体を提供する。【解決手段】記録すべき情報をブロック化し、これに誤り訂正符号を付加してＥＣＣブロックを生成し、生成されたＥＣＣブロックに、情報記録媒体Ｄの種別に応じて異ならせて配列（図４）された複数種類の同期信号ＳＹ、又は種別に応じた信号パターンの同期信号ＳＹを一定間隔で付加し、このＥＣＣブロックに基づく記録信号を情報記録媒体に記録する情報記録方法である。ＲＯＭ系の情報を丸ごと違法コピーしても、再生の際に、同期信号の配列により、その媒体が記録用媒体であることを検出できるので、再生中止等の対応をとることができる。【選択図】    図４
2004213704.tif 000002
【特許請求の範囲】
【請求項１】
記録すべき情報をブロック化し、これに誤り訂正符号を付加してＥＣＣブロックを生成し、
前記生成された前記ＥＣＣブロックに、情報記録媒体の種別に応じて異ならせて配列された複数種類の同期信号、又は前記情報記録媒体の種別に応じて信号パターンを異ならせた複数種類の同期信号を一定間隔で付加し、
前記同期信号が付加された前記ＥＣＣブロックに基づく記録信号を前記情報記録媒体に記録することを特徴とする情報記録方法。
【請求項２】
前記付加される同期信号は、３種類以上の同期信号であり、ある同期信号と一つ前の同期信号と更に一つ前の同期信号との３つの組合せにより該同期信号の前記ＥＣＣブロック中における位置を特定することができるべく３つの組合せを全て異ならせ、更に、前記情報記録媒体の種別に対応して前記ＥＣＣブロック中の同期信号の配列順を決定することを特徴とする請求項１記載の情報記録方法。
【請求項３】
前記記録すべき情報は、前記情報記録媒体の種別に応じた暗号化方式により暗号化されてブロック化されることを特徴とする請求項１記載の情報記録方法。
【請求項４】
記録すべき情報をブロック化し、これに誤り訂正符号を付加してＥＣＣブロックを生成し、
前記生成された前記ＥＣＣブロックに情報記録媒体の種別を示す媒体識別情報を付加し、
前記媒体識別情報が付加された前記ＥＣＣブロックに基づく記録信号を前記情報記録媒体に記録することを特徴とする情報記録方法。
【請求項５】
前記媒体識別情報は、前記複数のＥＣＣブロックの接続領域に書き込まれるものであり、この接続領域は前記情報記録媒体の種別に応じた長さをもっており、ＶＦＯ（Variable Frequency Oscillator）信号又はランダム信号が記録されることを特徴とする請求項４記載の情報記録方法。
【請求項６】
前記生成された前記ＥＣＣブロックに、更に、情報記録媒体の種別に応じて異ならせて配列された複数種類の同期信号、又は前記情報記録媒体の種別に応じて信号のパターンを異ならせた複数種類の同期信号を一定間隔で付加することを特徴とする請求項４記載の情報記録方法。
【請求項７】
前記媒体識別情報は、前記情報記録媒体が再生専用媒体であるとき、ランダム信号のみが記録されることを特徴とする請求項４記載の情報記録方法。
【請求項８】
情報記録媒体に格納されている前記情報記録媒体の製造時又はオーサリング時に付加された制御情報を読み出し、これにより前記情報記録媒体の種別を判断し、
前記情報記録媒体から読み出したＥＣＣブロックに含まれる複数種類の同期信号の配列順に基づいて、又は、前記同期信号の信号パターンに基づいて、前記情報記録媒体の種別を判断し、
前記製造時又はオーサリング時の制御情報に基づく種別と、前記同期信号に基づく種別とが一致しているかどうかを判断し、前記種別が一致していれば前記ＥＣＣブロックの再生を行い、前記種別が一致していなければ再生を中止することを特徴とする情報再生方法。
【請求項９】
前記同期信号は、３種類以上の信号パターンによる同期信号であり、ある同期信号と一つ前の同期信号と更に一つ前の同期信号との３つの組合せにより、前記ＥＣＣブロック中の位置を特定することができ、更に、前記ＥＣＣブロック中の同期信号の配列により、前記情報記録媒体の種別を特定することを特徴とする請求項８記載の情報再生方法。
【請求項１０】
情報記録媒体から少なくとも前記情報記録媒体の製造時又はオーサリング時に付加された制御情報を読み出し、これにより前記情報記録媒体の種別を判断し、
前記情報記録媒体から読み出したＥＣＣブロックに付加された前記媒体識別情報を読み出し、これにより前記情報記録媒体の種別を判断し、
前記製造時又はオーサリング時の制御情報に基づく種別と、前記媒体識別情報に基づく種別とが一致しているかどうかを判断し、前記種別が一致していれば前記ＥＣＣブロックの再生を行い、前記種別が一致していなければ再生を中止する、ことを特徴とする情報再生方法。
【請求項１１】
前記生成された前記ＥＣＣブロックに含まれる複数種類の同期信号の配列順に基づいて、又は、前記同期信号の信号パターンに基づいて、前記情報記録媒体の種別を判断し、
前記製造時又はオーサリング時の制御情報に基づく種別と、前記媒体識別情報に基づく種別と、前記同期信号に基づく種別とが一致しているかどうかを判断し、一致していれば前記ＥＣＣブロックの再生を行い、一致していなければ再生を中止する、ことを特徴とする請求項１０記載の情報再生方法。
【請求項１２】
記録すべき情報をブロック化し、これに誤り訂正符号を付加してＥＣＣブロックを生成するＥＣＣブロック化部と、
前記ＥＣＣブロック化部により生成された前記ＥＣＣブロックに、情報記録媒体の種別に応じて異ならせて配列された複数種類の同期信号、又は前記情報記録媒体の種別に応じて信号パターンを異ならせた複数種類の同期信号を一定間隔で付加する同期信号付加部と、
前記同期信号が付加された前記ＥＣＣブロックに基づく記録信号を前記情報記録媒体に記録する情報記録部と、
を具備することを特徴とする情報記録装置。
【請求項１３】
記録すべき情報をブロック化し、これに誤り訂正符号を付加してＥＣＣブロックを生成するＥＣＣブロック化部と、
前記ＥＣＣブロック化部により生成された前記ＥＣＣブロックに、情報記録媒体の種別を示す媒体識別情報を付加する識別情報付加部と、
前記媒体識別情報が付加された前記ＥＣＣブロックに基づく記録信号を前記情報記録媒体に記録する情報記録部と、
を具備することを特徴とする情報記録装置。
【請求項１４】
情報記録媒体から少なくとも前記情報記録媒体の製造時又はオーサリング時に付加された制御情報を読み出し、これにより前記情報記録媒体の種別を判断し、前記情報記録媒体から読み出したＥＣＣブロックに含まれる複数種類の同期信号の配列順に基づいて、又は、前記同期信号の信号パターンに基づいて、前記情報記録媒体の種別を判断するメディア識別部と、
前記メディア識別部における前記製造時又はオーサリング時の制御情報に基づく種別と、前記同期信号に基づく種別とが一致しているかどうかを判断し、前記種別が一致していれば前記ＥＣＣブロックの再生を行い、前記種別が一致していなければ再生を中止するメディア異常検出部と、
を具備することを特徴とする情報再生装置。
【請求項１５】
情報記録媒体から少なくとも前記情報記録媒体の製造時又はオーサリング時の制御情報を読み出し、これにより前記情報記録媒体の種別を判断し、前記情報記録媒体から読み出したＥＣＣブロックに付加された前記媒体識別情報を読み出し、これにより前記情報記録媒体の種別を判断するメディア識別部と、
前記メディア識別部における前記製造時又はオーサリング時の制御情報に基づく種別と、前記媒体識別情報に基づく種別とが一致しているかどうかを判断し、前記種別が一致していれば前記ＥＣＣブロックの再生を行い、前記種別が一致していなければ再生を中止するメディア異常検出部と、
を具備することを特徴とする情報再生装置。
【請求項１６】
情報記録媒体の種別に応じて異ならせて配列された複数種類の同期信号、又は前記情報記録媒体の種別に応じて信号パターンを異ならせた複数種類の同期信号を一定間隔で有しているＥＣＣブロックを複数記録していることを特徴とする情報記録媒体。
【請求項１７】
情報記録媒体の種別を示す媒体識別情報が付加されたＥＣＣブロックを複数記録していることを特徴とする情報記録媒体。
【発明の詳細な説明】
【０００１】
【発明の属する技術分野】
この発明は、情報記録再生方法に関し、特に、情報記録媒体の種別を特定するための情報をコンテンツ情報と共に記録することで、特にＲＯＭ（Read Only Memory）等の記録媒体に記録されている記録情報を制御情報と共に全てコピーして行う違法コピーを防止する情報記録再生方法と情報記録再生装置及び情報記録媒体に関する。
【０００２】
【従来の技術】
最近、光ディスク等の同一の基本フレームにつき、ＤＶＤ（Digital Versatile Disk）−ＲＯＭ（Read Only Memory）やＷＯ（Write Once）系のＤＶＤ−Ｒ（Recordable）、或いはリライタブル系のＤＶＤ−ＲＷ（Rewritable）やＤＶＤ−ＲＡＭ（Random access Memory）等、多種の記録媒体が存在するシステムにおいて、ＤＶＤ−ＲＯＭ等の再生専用記録媒体に記録される情報は、著作権保護を必要とするデータの場合が多い。
【０００３】
一方、記録用のＤＶＤ−ＲＷやＤＶＤ−ＲＡＭ等は、他システムから受け取る情報を最終ユーザが記録しておくために用いられるもので、他システムから受け取るデータが著作権者から記録することを認めていない場合、記録媒体への記録は許されないが、この著作権者の権利を侵害して違法コピーする違反者が現れる。このため、近年は著作権保護のために、コピープロテクションシステムが導入されている。このような中で、同一プラットフォームで再生専用と記録再生の媒体が存在する場合、再生専用媒体に記録されている著作権保護のために暗号化された情報を丸ごと記録媒体に記録して、媒体識別コードまで再生専用としてマーキングすることにより、あたかも再生専用媒体と偽って違法コピーをする場合が考えられる。
【０００４】
このような違法コピーを行った記録媒体に対して、再生装置側で違法コピーされたものを排除するようなシステムが望まれている。又、違法コピーを行おうとする記録装置にも何らかの対策が望まれている。一つの方法として、違法コピーを排除するシステムとしては、ＤＶＤ関連では著作権保護規格であるＣＳＳ（Content Scramble System）やＣＰＰＭ（Content Protection for Prerecorded Media）やＣＰＲＭ（Content Protection for Recordable Media）が知られている。ＣＳＳはDVD CCA(Copy Control Association)が、CPPMとCPRMは4C Entity,LLCがライセンスをしている著作権保護技術である。
「DVD CCA」  http //www.dvdcca.org
「4C Entity,LLC」  http //www.4centity.com
これら技術は著作権対象のコンテンツを暗号化して記録媒体に記録するが、そのときの暗号鍵を対象記録媒体の固有情報（ＩＤ）の函数として生成処理し、固有ＩＤは書換えが出来ないよう対応する事で、コンテンツをメディアバインドさせる事によって、著作物が違法コピーされないような技術である。しかしながら、固有ＩＤ情報もコピー可能な記録媒体が存在すると、違法コピーが可能になってしまう。
【０００５】
これらの違法コピー問題は、記録媒体の識別が正しく行われない、即ち偽造行為が可能なシステムでは偽物を作成することが可能になり、違法コピー防止を困難にさせている。記録媒体の識別を偽造出来ないような、基本構造を提供することは、著作権保護システムの保護能力を大幅に向上させる事が可能になる。このような状況から、著作権保護用暗号化システムのみの能力向上では、違法コピー防止など限界があり、従来の記録処理の際に付加される情報に識別信号を施すことが有効と思われる。
その対応方法として同期信号を利用する事が考えられる。このような同期信号を利用する方式では、多種類の同期信号種別が必要であるが、データ構造における同期信号を少ない種別で可能にする技術は存在する。例えば、特許出願人が過去に出願した同期信号の技術「記録媒体及びその同期信号配置装置及び再生装置及び方法」が知られている（例えば、特許文献１参照）。これは、ＥＣＣブロックに付加される同期信号の技術で、同期信号の種類が５種類に減少させ、３連続した同期信号の配列について、いずれの場所でも同じ配列は発生しない手法を提供するものである。
【０００６】
【特許文献１】
特開平８−２８９２４９号公報。
【０００７】
【発明が解決しようとする課題】
このような技術を応用して、媒体種別の識別処理を行うことが考えられるが、この従来技術は、同期信号の種類を削減しながら同等の同期処理を行うことを狙いとして設けられたものであり、違法コピーをどのように防止するかについては記載されていない。従って、ＤＶＤ−ＲＯＭ等のコンテンツ等の著作権を保護するための、情報記録装置と情報再生装置における具体的な手法が望まれている。
【０００８】
すなわち、同一データ構造のフォーマットにおいて、再生専用メディアと記録メディアが存在する場合、特に記録トラックが連続する記録ディスクは、再生専用（ＲＯＭ）ディスクとして偽造しやすい環境にある。例えば、ＲＯＭディスクの内容を変調された記録信号をそのまま読み出して記録メディアに丸ごとコピーされると、記録メディアでありながら、ＲＯＭメディアとして情報再生装置に認識され、暗号化処理もそのままコピーされるため、違反検出もできないという問題がある。
【０００９】
本発明は、上記問題に鑑み、コンテンツの記録処理の際に、記録先の記録媒体の種別情報を同時に記録媒体に記録し、再生装置にてこれを検出することで違法コピーを検出し、再生処理を中止したり警告したりすることができる情報記録再生方法と情報記録再生装置及び情報記録媒体を提供することを目的とする。
【００１０】
【課題を解決するための手段】
本発明は、記録すべき情報をブロック化し、これに誤り訂正符号を付加してＥＣＣブロックを生成し、前記生成された前記ＥＣＣブロックに、情報記録媒体の種別に応じて異ならせて配列された複数種類の同期信号、又は前記情報記録媒体の種別に応じて信号パターンを異ならせた複数種類の同期信号を一定間隔で付加し、前記同期信号が付加された前記ＥＣＣブロックに基づく記録信号を前記情報記録媒体に記録することを特徴とする情報記録方法である。
【００１１】
本発明の情報記録方法においては、生成したＥＣＣブロックに付加される同期信号に、ＥＣＣブロックが記録される情報記録媒体の種別を特定させるものである。すなわち、情報記録媒体の種別ごとに記録ブロックに挿入される同期信号パターンを異ならせて用いれば、検出された同期信号のパターンを見るだけで情報記録媒体の種別が判断できる。
【００１２】
又、更に、同期信号は、ＤＶＤ規格のようにＥＣＣブロック内での位置を識別させる情報も持たせている場合があり、同期信号パターンの種類が多くなる事からパターンのみを異ならせる方法は困難な場合が発生する。このような場合の解決としては、複数種の同期信号による配列順に位置情報をもたせることで、少なくとも３パターン以上の種類によりＥＣＣブロックのそれぞれの位置を特定させることができる。更に、この同期信号の配列順は、何十通り又はそれ以上が可能であるが、情報記録媒体の種別と配列とを予め対応させておくことにより、情報記録媒体の種別に応じた配列を選んで、これを情報記録媒体の記録処理で使用することができる。更に、情報再生装置の側においても、同期信号の配列を読み出すことで、その情報記録媒体の種別を一義的に特定することができる。これにより、いわゆるデッドコピーといわれる、ＤＶＤ−ＲＯＭ等からそのディスクがＲＯＭであることを示す制御情報やコンテンツ情報ごとを全て記録系のＤＶＤ−Ｒ等に記録したとしても、情報再生装置の側でこの違法コピーを検出することができる。
すなわち本発明は、情報記録媒体に格納されている制御情報を読み出し、これにより前記情報記録媒体の種別を判断し、前記情報記録媒体から読み出したＥＣＣブロックに含まれる複数種類の同期信号パターンの違いや配列順の違いに応じて前記情報記録媒体の種別を判断し、前記制御情報に基づく種別と、前記同期信号に基づく種別とが一致しているかどうかを判断し、前記種別が一致していれば前記ＥＣＣブロックの再生を行い、前記種別が一致していなければ再生を中止することを特徴とする情報再生方法である。
【００１３】
本発明の情報再生方法によれば、違法コピーがなされたＤＶＤ−Ｒ等の情報記録媒体に対して、リードイン領域のコントロールデータブロック等に記録されている制御情報でＤＶＤ−ＲＯＭという判断があっても、同期信号の配列から記録系のＤＶＤ−Ｒ等であるという判断がなされるものである。これにより、この情報記録媒体は、ＤＶＤ−ＲＯＭ等からのいわゆるデッドコピーがなされた記録系のＤＶＤ−Ｒ等のディスクである、いわゆる違法コピーがなされたディスクであることが検出できる。これにより、情報再生装置の側で、再生処理を中止したり警告表示をすることができるので、違法コピーを防止することが可能となるものである。
【００１４】
【発明の実施の形態】
以下、図面を参照してこの発明の実施形態である情報記録再生方法及び情報記録再生装置とその情報記録媒体を図面を用いて詳細に説明する。
図１及び図２は、本発明に係るワンフィジカルＥＣＣブロックの先頭に媒体識別情報が付加されたディスクの構成を示す構成図、図３は、本発明に係るワンフィジカルＥＣＣブロック内に媒体識別情報が付加されたディスクの構成を示す構成図である。更に、図４は、本発明に係る同期信号パターンの配列により媒体識別を可能にしたＲＯＭ系メディアの同期信号パターンの配列の一例を示す図、図５は、このRewritable系メディアの同期信号パターンの配列の一例を示す図、図６は、本発明に係るＲＯＭ系メディアの同期信号パターンの配列の一例を示す図、図７は、このRewritable系メディアの同期信号パターンの配列の一例を示す図、図８は、本発明に係る媒体識別情報を有する光ディスクを処理する光ディスク装置の一例を示すブロック図、図１３は、同期信号のパターンにより媒体識別を可能にしたＲＯＭ系メディアの同期信号パターンの一例を示す図、図１４は、同期信号のパターンにより媒体識別を可能にしたRewritable系メディアの同期信号パターンの一例を示す図である。
【００１５】
＜情報記録媒体のデータ構造＞
本発明は、ＤＶＤ−Ｒ等の記録用の情報記録媒体に、コンテンツ情報を記録する際に、その情報記録媒体の識別情報を記録情報であるＥＣＣブロックの先頭等に付加したり、ＥＣＣブロックに一定期間おきに付加される複数種類の同期信号の信号パターンの種類により、又は、複数種類の同期信号の配列順によりその情報記録媒体の識別情報をもたせたりすることで、違法コピーを排除する情報記録再生方法及び情報記録再生装置とその情報記録媒体である。
【００１６】
すなわち、光ディスク再生装置においては、情報記録媒体の種別毎に付加した識別情報や、ＥＣＣブロック中の同期信号の信号パターンの種類や、同期信号の配列順の違い等により検出した媒体の識別情報と、ＥＣＣブロックを構成するセクターブロックのセクターインフォメーションデータ、又は、ディスクの内周側に設けられたリードイン領域のコントロールデータの制御情報が示す識別情報とが一致していなければ、そのディスクが違法コピーによるディスクであると判断し、再生を中止したり、警告したりすることで、違法コピーを排除しコピー元のＲＯＭ等のコンテンツの著作権を保護しようとするものである。
図１及び図２は、本発明に係る情報記録再生方法により、情報記録媒体であるディスクに格納されるワンフィジカルＥＣＣブロックの先頭に媒体識別情報が付加されたディスクの構成を示す構成図であり、（ａ）が、例えば、ＤＶＤ−ＲＯＭ等の再生専用記録媒体であるＲＯＭ系メディアの構成を示しており、（ｂ）が、例えば、ＤＶＤ−Ｒ等の一度だけの記録用の情報記録媒体であるＷＯ（Write Once）系メディアの構成を示しており、（ｃ）が、例えば、ＤＶＤ−ＲＷやＤＶＤ−ＲＡＭ等の記録再生媒体であるRewritable系メディアの構成を示している。
【００１７】
（媒体識別情報の挿入によるメディア識別の方法）
図１の（ａ）がＲＯＭメディアの構成で、従来のＤＶＤ方式のＲＯＭとは異なり、ＥＣＣブロック単位に、各ＥＣＣブロックの接続領域となる先頭の部分にブロック分割信号としてのＲＯＭ識別信号Ｒ１が挿入されている。図２の（ａ）は、その具体的な一例を示しており、ＲＯＭ識別信号Ｒ１’は、データが変調される事で生成されるｎ〜ｍチャネルビットのラン長のランダムな組合せ信号Ｒ−Ｄａである。このランダム信号Ｒ−Ｄａは一部のラン長、例えば最短ラン長を外したランダム信号とする事で、リードチャネル部のＰＬＬ回路のロックアップタイム短縮化に利用できる。今後の記録メディアでは、記録密度向上からＰＬＬ回路のアンロック状態からロック状態に入り難くなっており、ＰＬＬのロックアップを助ける信号挿入はその面でも効果がある。
【００１８】
図１及び図２の（ｂ）と図１及び図２の（ｃ）は、記録メディアの配置構成を示しており、図１及び図２の（ｂ）は、ＤＶＤ−Ｒ等のＷＯ（Write Once）系の記録媒体、図１及び図２の（ｃ）は、ＤＶＤ−ＲＷやＤＶＤ−ＲＡＭ等のRewritable系の記録媒体の構成例を示している。ＥＣＣブロック単位で、各ＥＣＣブロックの接続領域となる先頭にＥＣＣブロックのアドレス情報やＶＦＯを構成する。記録メディアでは記録ポジション信号が必要で、トラック上に、ＷＯ識別信号Ｒ２、ＲＷ識別信号Ｒ３を配置すれば、ＲＯＭの信号ストリームと異なるため、丸ごとコピーは不可能になる。
【００１９】
すなわち、具体的にこれらの識別信号は、図２の（ｂ）においては、ｎの長さをもつヘッダＨとＶＦＯであり、図２の（ｃ）においては、ｔの長さをもつヘッダＨとＶＦＯである。ここで、ＲＯＭ系のＲＯＭ識別信号の長さは、ｍであり、ｍ≠ｎ≠ｔとして、信号の長さによって、各媒体ごとの識別情報とすることも可能である。又、これらの信号長をｍ＝ｎ＝ｔとしても、（ｄ）に示すようなヘッダＨにより、アドレス情報を異ならせたり、プリアンブル、アドレス、アドレスのＥＣＣ、ポストアンブルという信号の配列を記録媒体の識別毎に異ならせることでも、媒体の識別情報とすることが可能である。
このようにして、再生専用の記録媒体であるＤＶＤ−ＲＯＭ等を作成する際、又、違法コピーがなされやすい情報記録装置の段階で、識別情報を付加することにより、再生の際に記録媒体の種別を検出することを可能とし、違法コピーを排除するものである。
（同期信号の信号パターン、又は、同期信号の配列順によるメディア識別）
更に、本発明によれば、ＥＣＣブロックに一定周期ごとに挿入される同期信号の信号パターンを情報記録媒体毎に異ならせることによっても、媒体識別が可能となる。
【００２０】
又、本発明によれば、同期信号パターンの配列順に、媒体識別情報をもたせることにより、媒体識別が可能となる。これにより、同期信号の信号パターンを少なくすることができる。
【００２１】
図３の（ａ）、図３の（ｂ）は、それぞれ、ＲＯＭ系メディアとＷＯ系メディア、Rewritable系メディアの記録媒体の構成例を示している。図１や図２に示したような媒体識別情報が挿入されていないことがわかる。この場合は、図４や図５に示すようにＲＯＭ系やRewritable系（又は、図示しないがＷＯ系も同様）の各ＥＣＣに一定周期ごとに挿入される同期信号の配列順に、媒体識別情報をもたせるものである。この例が図６及び図７のＲＯＭ系の同期信号パターン例と、Rewritale系の同期信号のパターン例である。
【００２２】
例えば、現行のＤＶＤ（Digital Versatile Disk）の規格においても、図６や図７に示すＥＣＣブロックには、再生処理する際に信号管理のために同期信号が一定期間ごとに挿入されており、それぞれの絶対位置を示すと共に、一定期間ごとの同期信号を取り出すことができる。一つのＥＣＣブロックにおけるそれぞれの絶対位置を表すために、現行ＤＶＤ規格では、同期信号ＳＹ１〜ＳＹ８の８パターンの同期信号を使用している。
しかしながら、上述した従来技術の特許出願（特開平８−２８９２４９号公報）にも明らかなように、必ずしも８種類の同期信号を必要としなくとも、一つのＥＣＣブロックにおける各々の絶対位置を表すことができる。ここでは、図４及び図５に示すように、３種類の同期信号を使用するだけでも、一つのＥＣＣブロックにおける各絶対位置を示すことができることが判っている。
【００２３】
ここで注目すべきは、３種類の同期信号で各絶対位置を示すやり方が、３種類の同期信号の組合せにより１通り以上（少なくともＤＶＤでは３６通り以上）あることである。従って、この３通りの同期信号の配列の仕方に、情報記録媒体の種別（ＲＯＭ系，ＷＯ系，Rewritale系等）を対応付けることによって、記録済みのディスクのＥＣＣブロックの同期信号の配列順を検出することで、情報記録媒体の種別を判断することができる。
図４において、ＲＯＭ系の同期信号ＳＹ１〜ＳＹ３の配列の一例が示されており、その絶対位置が示されると共に、この配列により、このＥＣＣブロックが、ＲＯＭ系の記録媒体に記録された情報であることを示している。すなわち、図４の下に示した１−３−２−３−１−２−３−３−３−２−１−２……の配列は、ＲＯＭ系媒体のものであるとして記録し、再生の段階でもこの配列をＲＯＭ系媒体であるとして認識する。
【００２４】
同様に、図５において、Rewritale系の同期信号ＳＹ１〜ＳＹ３の配列の一例が示されており、その絶対位置が示されると共に、図４の配列とは異なる図５の配列により、このＥＣＣブロックが、Rewritale系の記録媒体に記録された情報であることを示している。すなわち、図５の下に示した１−２−１−２−３−１−３−２−１−３−２−１……の配列は、Rewritale系媒体のものであるとして記録し、再生の段階でもこの配列をRewritale又はWrite Once系媒体であるとして認識する。
【００２５】
このように、ＲＯＭメディアがＤＶＤ方式と同様にオーサリング用途として（ＷＯ）系おヘッダ領域のない図３に示す実施形態の場合が考えられるが、このような場合でも上述したように、同期信号の信号パターンの違い、又は、同期信号の配列順の違いに媒体識別情報をもたせることができれば、違法コピーされた記録媒体を検出することが可能となる。
【００２６】
又、この同期信号の信号パターンの違いや同期信号の配列順の違いに媒体識別情報をもたせる方法は、上述した媒体識別情報の挿入によるメディア識別の方法と併用することできるため、併用の場合は一層効果的に、記録媒体の識別を行うことができ、違法コピーされた記録媒体の検出を確実に行うことができる。
＜本発明に係る情報記録再生装置＞
次に、上述した二つのメディア識別の方法を行うための情報記録装置と情報再生装置の具体的な構成の一例を図面を用いて説明すると共に、その手法をフローチャートを用いて詳細に説明する。
ここでは、情報記録媒体をＤＶＤ−ＲＯＭ，ＤＶＤ−Ｒ等の場合を例に、光ディスクの記録再生処理を行う光ディスク装置を例にあげて説明する。
（構成）
図８は、本発明に係る媒体識別情報を有する光ディスクを処理する光ディスク装置の一例を示すブロック図である。
【００２７】
本発明に係る光ディスク装置においては、光ディスクＤに対しレーザビームを照射し反射光を受光する光ピックアップヘッドＰＵＨ２（情報記録部）と、この信号を供給されるＲＦ−アンプ、サーボエラー検出部７と、サーボコントローラ１４とを有している。更に、このサーボコントローラ１４に制御され、光ピックアップヘッドＰＵＨ２をドライブするアクチュエータドライバ４と、ＲＦアンプ７からのＲＦ信号が供給されるリードチャネル８と、リードチャネルクロック生成ＰＬＬ回路９とを有している。更に、Ｒ−チャンネルＰＬＬ回路９とＷ−チャンネルＰＬＬ回路１１とに接続され、バッファＲＡＭ１０に接続されるデータ処理部１２とを有しており、データ処理部１２においては、本発明に係る媒体識別情報付加部と、復調部ＤｅＭＯＤ、変調部ＭＯＤと、ＥＣＣ同期信号付加部と、暗号部Ｅｎｃ、復号部Ｄｅｃ等の各種処理部を含んでいる。
【００２８】
又、ＲＦアンプ７に接続される本発明に係るメディア識別異常検出部１５を有している。これらの各部の動作を制御するのがシステムコントローラ１６であり、全体の動作を制御している。
【００２９】
又、更に、記録処理と再生処理とに応じてレーザ光の強度を制御するレーザパワーコントローラ・ライトパワーコントローラ６（情報記録部）と、これに接続されるＬＤ（Laser Diode）ドライバ５（情報記録部）とを有している。
【００３０】
（記録動作・再生動作）
このような構成を有する光ディスク装置において、以下のような記録動作・再生動作を行う。図９及び図１０は、本発明に係る媒体識別情報を有する光ディスクを処理する光ディスク装置の記録動作の一例を示すフローチャート、図１１及び図１２は、その再生動作の一例を示すフローチャートである。
【００３１】
・媒体識別情報を用いる場合の記録動作
本発明に係る光ディスク装置の記録処理は、図１及び図２に示す媒体識別情報を用いる場合、図９のフローチャートにおいて、Ｉ／Ｆ１７を通して外部から送られてきたコンテンツが、システムコントローラ１６の制御下において、データプロセッサ１２でセクタ化される（Ｓ１１）。そして、データセクタが１６組毎に集合され（Ｓ１２）、集合させたデータセクタの誤り訂正を符号化してＥＣＣブロックが構成される（Ｓ１３）。そして、ＥＣＣブロック毎に誤り訂正符号が追加され（Ｓ１４）、インターリーブ処理が施される（Ｓ１５）。更に、このＥＣＣブロックに複数種類の同期信号が一定間隔で付加される（Ｓ１６）。更に、図１及び図２で示すような媒体識別情報が、ＥＣＣブロックの先頭（これは各ＥＣＣブロックの接続領域となる）に付加する（Ｓ１７）。この媒体識別情報は、記録媒体の種別に応じて上述したような様々な形態が可能である。次に、このＥＣＣブロックに基づく記録信号は、レーザパワーコントローラ６に送られ、ＬＤ−ドライバ５によってＰＵＨ（Pick Up Head）２のＬＤパワーを制御して、記録メディアＤにデータが書き込まれる（Ｓ１８）。
【００３２】
なお、ステップＳ１１のセクタ化の以前に、外部からの入力情報はコンテンツ暗号化鍵などの制御情報も入ってくるが、ここで、データ処理部１２において、コンテンツ情報を暗号化鍵で暗号化して供給するだけでなく、更に、光ディスクＤの種類に応じた媒体識別情報で多重暗号化処理することも好適であり、更に、暗号鍵や暗号化テーブルについても、媒体識別情報を含めて処理することが好適となる。
【００３３】
このような記録方法によって、ＤＶＤ−ＲＯＭ等のコンテンツ情報をディスクの情報の全てを丸ごとコピーしてしまういわゆるデッドコピーが行われたとしても、記録先の情報記録媒体の種別に応じた媒体識別情報を、同期信号の配列にもたせることが可能となる。
・同期信号の信号パターン、又は、同期信号の配列順による場合の記録動作
又、更に、本発明に係る光ディスク装置の記録処理は、図４乃至図７に示す同期信号の配列によるメディア識別が行われる場合、図１０のフローチャートにおいて、Ｉ／Ｆ１７を通して外部から送られてきたコンテンツが、システムコントローラ１６の制御下において、データプロセッサ１２でセクタ化される（Ｓ１１）。そして、データセクタが１６組毎に集合され（Ｓ１２）、集合させたデータセクタの誤り訂正を符号化してＥＣＣブロックが構成される（Ｓ１３）。そして、ＥＣＣブロック毎に誤り訂正符号が追加され（Ｓ１４）、インターリーブ処理が施される（Ｓ１５）。更に、このＥＣＣブロックに、情報記録媒体の種別に応じた配列配列による複数種類の同期信号が一定間隔で付加される（Ｓ１９）。ここでは、情報記録媒体がＤＶＤ−ＲＷ等の記録用の情報記録媒体であれば、例えば、図５や図７に一例として示した配列による複数種類の同期信号が一定間隔で付加される。なお、この同期信号は、３種類のものであってもよいし、４種類やそれ以上の種類のものであっても可能である。
更に、他の方法として、８種類の同期信号のうち、４種類はＲＯＭ系に用い、他の４種類は記録系に用いる事で、同期信号の信号パターンの違いで識別を行う事も可能である。又は、同期信号について、１６種類の信号パターンを用意し、ＲＯＭ系については図１３に示すようにＳＹ０−Ａ乃至ＳＹ７−Ａ、Rewritable系については図１４に示すようにＳＹ０−Ｂ乃至ＳＹ７−Ｂを用いることで区別することができる（Ｓ１９）。
【００３４】
又、この光ディスク装置がＤＶＤ−ＲＯＭ等のオサーリングシステムであれば、図４や図６に一例として示したＲＯＭ系の配列による複数種類の同期信号が一定間隔で付加される。
更に、図１０のフローチャートでは示されていないが、図９のフローチャートのステップＳ１７と同様に、ここで、図１及び図２で示すような媒体識別情報を、ＥＣＣブロックの先頭（これは各ＥＣＣブロックの接続領域となる）に付加することも好適である。次に、このＥＣＣブロックに基づく記録信号は、レーザパワーコントローラ６に送られ、ＬＤ−ドライバ５によってＰＵＨ（Pick Up Head）２のＬＤパワーを制御して、記録メディアＤにデータが書き込まれる（Ｓ１８）。
【００３５】
なお、ステップＳ１１のセクタ化の以前に、外部からの入力情報はコンテンツ暗号化鍵などの制御情報も入ってくるが、ここで、データ処理部１２において、コンテンツ情報を暗号化鍵で暗号化して供給するだけでなく、更に、光ディスクＤの種類に応じた媒体識別情報で多重暗号化処理することは、上述したように好適であり、更に、暗号鍵や暗号化テーブルについても、媒体識別情報を含めて処理することが同様に好適となる。
【００３６】
・媒体識別情報を用いる場合の再生動作
次に、このように記録処理された情報記録媒体を再生する際の動作について、以下に詳細に説明する。本発明に係る光ディスク装置の再生処理は、図１及び図２に示す媒体識別情報を用いる場合、図１１のフローチャートにおいて、光ディスクＤは、ＰＵＨ２によりレーザ光が照射され、更に、ＲＦ−アンプ７と、サーボエラー検出部７およびサーボコントロールディスプレイ１４、アクチュエータドライバ４へ、再生メディアに応じた制御パラメータがセットされた上でそれぞれ動作し、照射されたレーザ光の反射光を受光して、この光ディスクＤの記録信号が読み出される。読み出された記録信号は、ＲＦアンプ７を介して、メディア識別異常検出部１５に供給され、メディア識別異常検出部１５は、記録信号から光ディスクＤのリードインの制御情報を読み出して、このディスクの種別を判断する（Ｓ２１）。
【００３７】
ここで、必須ではないが、更に、光ディスクＤから読み出した記録信号に含まれるセクタインフォメーションから媒体の種別を判断する情報を読み出すことも好適である（Ｓ２２）。すなわち、一例として、各セクタデータの先頭にある３２ビットのＩＤ情報においてビット２４〜ビット３１で構成される８ビットあるセクタインフォメーションのビット２５の情報であるディスクがRead-only dataかRewritable or Recordable dataであるかの判断、ビット２９の情報である反射率による種別の判断、ビット３０の情報であるトラッキング手段情報等で、光ディスクＤがＲＯＭであるか、ＤＶＤ−ＲやＤＶＤ−ＲＷであるかの判断が可能となる。更に、光ディスクＤの反射率を検出し、更に、光ディスクＤが何層であるかどうかを検出し、判断材料の一つに利用できる。ＤＶＤでは２層媒体はＲＯＭしか無く、一層のＲＯＭは反射率が高い。一層で反射率が低い場合は記録媒体と判断できる（Ｓ２３）。
【００３８】
更に、読み出された記録信号からＥＣＣブロックに付加された媒体識別情報を抽出し、これにより媒体の種別を判定する（Ｓ２４）。ここでの判断は、先に図２に示したように、媒体識別情報がどのように定義されているかに応じて、信号の形態や信号の長さによりそれぞれ判断される。
次に、これら識別された情報記録媒体の種別が一致しているかどうかが、メディア識別異常検出部１５において判断される。冒頭に示したように、ＤＶＤ−ＲＯＭ等のデータを他の記録媒体等に丸ごとコピーした場合、リードインの制御情報は、ディスクがＤＶＤ−ＲＯＭであることを示しているのに、ＥＣＣブロックの先頭に付加された媒体識別情報は、ディスクが記録媒体系であると判断されるため、それぞれの判断結果が不一致となり、違法コピーがあったことが検出される（Ｓ２５）。又、ステップＳ２２及びステップＳ２３の判断結果をこれらに含めることにより、違法コピーの検出率は更に向上することとなる。
ここで、不一致となれば、この段階でディスクの再生処理を中止し、更に、この光ディスクが違法コピーによりなされた可能性がある旨の警告表示を行うことも好適である（Ｓ２７）。
ここで、これらの判断結果が一致していれば、すなわち、判断結果が全てＤＶＤ−ＲＯＭ等のＲＯＭ系メディアであるとか、ＤＶＤ−ＲＷ等のRewritable系メディアであるとの判断がなされれば、以降は、通常の再生処理が続行される（Ｓ２６）。
【００３９】
すなわち、読み出された信号はＲＦアンプ７からＲＦ信号をリードチャネル８とリードチャネルクロック生成ＰＬＬ回路９に送って、ＲＦ信号はチャネルビット信号に変換され、更に同期信号検出によってシンボル分割とセクタ分割およびＥＣＣブロック分割点マークとともにデータ処理部１２に送られる。ここでシンボルデータに復調およびＥＣＣブロック単位で誤り検出訂正処理がなされる。
【００４０】
もしここで、記録媒体の種別毎に異なる暗号鍵、又は、暗号化手法で暗号化されていれば、これらに応じて、多重暗号化されたコンテンツ暗号鍵は復号されて多重部分が解除される。このような処理によってコンテンツ情報とともにＩ／Ｆ１７を通して外部に出力される。
【００４１】
・同期信号の配列、又は、同期信号の信号パターンによる場合の再生動作
次に、図４乃至図７に示す同期信号の配列順によるメディア識別の方法を用いる場合の再生動作について、図１２のフローチャートを用いて説明する。
【００４２】
本発明に係る光ディスク装置の再生処理は、図１２のフローチャートにおいて、光ディスクＤは、ＰＵＨ２によりレーザ光が照射され、更に、ＲＦ−アンプ７と、サーボエラー検出部７およびサーボコントロールディスプレイ１４、アクチュエータドライバ４へ、再生メディアに応じた制御パラメータがセットされた上でそれぞれ動作し、照射されたレーザ光の反射光を受光して、この光ディスクＤの記録信号が読み出される。読み出された記録信号は、ＲＦアンプ７を介して、メディア識別異常検出部１５に供給され、メディア識別異常検出部１５は、記録信号から光ディスクＤのリードイン領域のコントロールデータにあるディスクの製造時（オーサリング時）に付加された制御情報を読み出して、このディスクの種別を判断する（Ｓ２１）。
【００４３】
ここで、必須ではないが、更に、光ディスクＤが何層であるかどうかを検出し、判断材料の一つに利用できる。ＤＶＤでは２層媒体はＲＯＭしか無く、一層のＲＯＭは反射率が高い。一層で反射率が低い場合は記録媒体と判断できる（Ｓ２３）。
【００４４】
更に、メディア識別異常検出部１５において、読み出された記録信号からＥＣＣブロックの同期信号の配列順を検出して、情報記録媒体の種別を判断する（Ｓ２８）。この配列順は上述したように、図５乃至図７に一例があげられた配列であり、定義された配列に応じて、情報記録媒体の種別を判断することができる。
更に、ここで、上述したように、同期信号の信号パターンを異ならせる方法を用い（この場合は配列順は同一でもかまわない）、この信号パターンの違いを検出することでも、簡易に情報記録媒体の種別を判断することが可能となる（Ｓ２８）。
【００４５】
又、光ディスクに媒体識別情報Ｒ１乃至Ｒ３が付加されている場合は、図１１のフローチャートと同様に、ここで、読み出された記録信号からＥＣＣブロックに付加された媒体識別情報を抽出し、これにより媒体の種別を判定して、判断材料とすることも好適である。ここでの判断は、先に図２に示したように、媒体識別情報がどのように定義されているかに応じて、信号の形態や信号の長さによりそれぞれ判断される。
次に、これら識別された情報記録媒体の種別が一致しているかどうかが、メディア識別異常検出部１５において判断される。冒頭に示したように、ＤＶＤ−ＲＯＭ等を記録媒体等に丸ごとコピーした場合、リードインの制御情報は、ディスクがＤＶＤ−ＲＯＭであることを示しているのに、同期信号の配列（又は、ＥＣＣブロックの先頭に付加された媒体識別情報）は、ディスクが記録媒体であると判断されるため、それぞれの判断結果が不一致となり、違法コピーがあったことが検出される（Ｓ２５）。又、ステップＳ２２及びステップＳ２３の判断結果をこれらに含めることにより、違法コピーの検出率は更に向上することとなる。又、更に、ＥＣＣブロックの先頭に付加された媒体識別情報の識別が可能であれば、これを含めることもできる。
【００４６】
ここで、不一致となれば、この段階でディスクの再生処理を中止し、更に、この光ディスクが違法コピーによりなされた可能性がある旨の警告表示を行うことも好適である（Ｓ２７）。
ここで、これらの判断結果が一致していれば、すなわち、判断結果が全てＤＶＤ−ＲＯＭ等のＲＯＭ系メディアであるとか、ＤＶＤ−ＲＷ等のRewritable系メディアであるとの判断がなされれば、以降は、通常の再生処理が続行される（Ｓ２６）。
【００４７】
このような再生処理により、本発明に係る光ディスク装置においては、メディア識別／異常検出部１５の働きにより、再生の初期で検出したサーボパラメータ情報・同期信号パターン・ＥＣＣブロック分割点の接続情報などから、情報記録媒体が再生専用媒体か記録用媒体かを判断し、セクタ・インフォメーション情報及びＤＶＤ規格においてはリードインエリアの制御情報に書かれたブックタイプ情報などが違反していないかを検出し、違反事項があれば再生を中止したり、警告処理を行うことにより、違法コピーを効果的に排除することができる。従って、従来検出が難しいとされていた、いわゆるＲＯＭのＲＦ領域（Channel bit領域）での丸ごとコピーに対しても、これを検出し排除することで、コピー元のディスクコンテンツの著作権保護を確実に行うことができる。
【００４８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４９】
例えば、上記の記載は、一例として、光ディスクであるＤＶＤを例として説明したが、本発明の趣旨の範囲でこれを行うことにより、他の情報記録媒体に対しても行うことが可能となる。
【００５０】
【発明の効果】
以上詳述したように本発明によれば、コンテンツの記録処理の際に、記録先の記録媒体の種別情報を同時に記録媒体に記録し、更に、再生装置にてこれを検出することで違法コピーを検出し、これにより、再生処理を中止したり警告したりすることができる情報記録再生方法と情報記録再生装置及び情報記録媒体を提供することができる。
【図面の簡単な説明】
【図１】本発明に係るワンフィジカルＥＣＣブロックの先頭に媒体識別情報が付加されたディスクの構成を示す構成図。
【図２】本発明に係るワンフィジカルＥＣＣブロックの先頭に媒体識別情報が付加されたディスクの構成を示す構成図。
【図３】本発明に係るワンフィジカルＥＣＣブロック以外の場所に媒体識別情報が付加されたディスクの構成を示す構成図。
【図４】本発明に係る同期信号パターンの配列により媒体識別を可能にしたＲＯＭ系メディアの同期信号パターンの配列の一例を示す図。
【図５】本発明に係る同期信号パターンの配列により媒体識別を可能にしたRewritable系メディアの同期信号パターンの配列の一例を示す図。
【図６】本発明に係るＲＯＭ系メディアの同期信号パターンの配列の一例を示す図。
【図７】本発明に係るRewritable系メディアの同期信号パターンの配列の一例を示す図。
【図８】本発明に係る媒体識別情報を有する光ディスクを処理する光ディスク装置の一例を示すブロック図。
【図９】本発明に係る媒体識別情報を有する光ディスクを処理する光ディスク装置の記録動作の一例を示すフローチャート。
【図１０】本発明に係る媒体識別情報を有する光ディスクを処理する光ディスク装置の記録動作の一例を示すフローチャート。
【図１１】本発明に係る媒体識別情報を有する光ディスクを処理する光ディスク装置の再生動作の一例を示すフローチャート。
【図１２】本発明に係る媒体識別情報を有する光ディスクを処理する光ディスク装置の再生動作の一例を示すフローチャート。
【図１３】本発明に係る同期信号のパターンにより媒体識別を可能にしたＲＯＭ系メディアの同期信号パターンの一例を示す図。
【図１４】本発明に係る同期信号のパターンにより媒体識別を可能にしたRewritable系メディアの同期信号パターンの一例を示す図。
【符号の説明】
Ｄ…光ディスク、２…ピックアップヘッド、３…スピンドルモータ、４…アクチュエータドライバ、５…ＬＤドライバ、６…レーザパワーコントローラ・ライトパワーコントローラ、７…ＲＦアンプ、８…リードチャンネル、９…ＲチャンネルＰＬＬ回路、１０…バッファＲＡＭ、１１…ＷチャンネルＰＬＬ回路、１２…データ処理回路（媒体識別情報付加部）、１３…モータドライバ、１４…サーボコントローラ、１５…メディア識別以上検出部、１６…システムコントローラ、１７…インタフェース。
【図１】
2004213704.tif 000003
【図２】
2004213704.tif 000004
【図３】
2004213704.tif 000005
【図４】
2004213704.tif 000006
【図５】
2004213704.tif 000007
【図６】
2004213704.tif 000008
【図７】
2004213704.tif 000009
【図８】
2004213704.tif 000010
【図９】
2004213704.tif 000011
【図１０】
2004213704.tif 000012
【図１１】
2004213704.tif 000013
【図１２】
2004213704.tif 000014
【図１３】
2004213704.tif 000015
【図１４】
2004213704.tif 000016